(57)【要約】      （修正有）【課題】マイナスイオン効果を具有する容器の構造を提供する。【解決手段】主に中空状容器本体１、頂上蓋、リング３で構成するマイナスイオン効果を具有する容器の構造である。該中空状容器本体１の外周壁１１は一つの頂上開口１３及び相対する一つの底壁１４を具有することで、内部収納スペース１２を構成する。該頂上蓋２は容器本体１の頂部を密閉し、及び、該リング３を容器本体１の外周壁１１の表面に套置して定位し、該リング３はマイナスイオンの材料を具有することで、マイナスイオンが容器本体１の外周壁１１を通じて収納スペース１２内部の飲食品に作用するため、飲食品の鮮度を保ち、異臭を取り除き、酸味渋みを下げるなどの効果に達し、人体が飲むのに適合して、体内の新陳代謝の作用を高め、身心の健康にも有益である。【選択図】図４
0003207482.tif 000002
【実用新案登録請求の範囲】
【請求項１】
中空状容器本体、頂上蓋、リングを含み、
該中空状容器本体の外周壁は一つの頂上開口及び相対する一つの底壁を具有することで、内部収納スペースを構成し、
該頂上蓋は容器本体の頂部を密閉し、
該リングを容器本体の外周壁の表面に套置して定位し、該リングはマイナスイオンの材料を具有することで、マイナスイオンが容器本体の外周壁を通じて収納スペース内部の飲食品に作用することを特徴とするマイナスイオン効果を具有する容器の構造。
【請求項２】
前記該容器本体の外周壁に一つの溝を設け、それによりリングを套設定位することを特徴とする請求項１記載のマイナスイオン効果を具有する容器の構造。
【請求項３】
前記容器本体の外周壁の下段及び該底壁に一つのスリーブを套設し、該スリーブは一つの頂上開口及び相対する一つの底部を具有し、且つスリーブはマイナスイオン材料を含むことを特徴とする請求項１記載のマイナスイオン効果を具有する容器の構造。
【請求項４】
前記容器本体の外周壁の下段及び該底壁に一つのスリーブを套設し、該スリーブは一つの頂上開口及び相対する一つの底部及び一つのスペーサーを具有して容器本体の底壁とスリーブの底部の間に設置し、且つスペーサーはマイナスイオン材料を含むことを特徴とする請求項１記載のマイナスイオン効果を具有する容器の構造。
【請求項５】
前記容器本体の外周壁の下段の周りに間隔を開けて複数の軸方向の溝を設け、各軸方向の溝の頂端はサイド側に掛合溝を延伸し、該スリーブの内周縁に間隔を開けて複数のブロックを設け、各ブロックはそれぞれ相対する掛合溝に掛止することを特徴とする請求項４記載のマイナスイオン効果を具有する容器の構造。
【考案の詳細な説明】
【技術分野】
【０００１】
本考案は一種の飲食用容器の構造に関し、特にマイナスイオン効果を具有する容器の構造に関する。
【背景技術】
【０００２】
お茶とドリンク類の飲食用容器の形態の種類は多い、例えばポット、ボトル、缶、コップなどに飲用するお茶とドリンクなどの液体を入れる。
【０００３】
目下ポット、ボトル及び缶の類の飲食用容器は通常中空の直立状態のものであり、該容器の頂端に一体の一つの開口を設けることで、お茶或いはドリンクなどの液体を入れる、出すことができ、且つ可動的に一つの蓋を組み合わせる。
【０００４】
従来技術のポット、ボトル及び缶の類の飲食用容器は、携帯する便利性を考慮し、通常容器はプラスティックの射出一体成型を利用すると全体の重さが軽くなる。ただ、プラスティック容器の外周部位はただ一体に表面を延伸するだけで、且つ単純に液体を入れるのみでその他の如何なる機能も付加されておらず、更なる合理的な応用に欠けているのを鑑みて、改善が必要であった。
【先行技術文献】
【特許文献】
【０００５】
【特許文献１】特開２００３−３２５２９９号公報
【考案の概要】
【考案が解決しようとする課題】
【０００６】
前記公知構造の欠点を解決するため、本考案は容器本体の外周壁の表面にリングを設け、リングにマイナスイオン材料を含むことで、該マイナスイオンが容器本体の外周壁を通じて、収納スペース内部の飲食品に作用し、飲食品の鮮度を保ち、異臭を取り除き、酸味渋みを下げるなどの効果に達し、人体が飲むのに適合して、体内の新陳代謝の作用を高め、身心の健康にも有益であり、実際のニーズに合致するマイナスイオン効果を具有する容器の構造を提供することを主な課題とする。
【課題を解決するための手段】
【０００７】
上述の目的を解決するために、本考案はマイナスイオン効果を具有する容器の構造を提供するものである。それに含まれるのは中空状容器本体、頂上蓋、リングである。該一つの中空状容器本体の外周壁は一つの頂上開口及び相対する一つの底壁を具有することで、内部収納スペースを構成する。該一つの頂上蓋は容器本体の頂部を密閉する。及び該一つのリングを容器本体の外周壁の表面に套置して定位し、該リングはマイナスイオンの材料を具有することで、マイナスイオンが容器本体の外周壁を通じて収納スペース内に作用する。
【０００８】
前記該容器本体の外周壁に一つの溝を設け、それによりリングを套設定位する
【０００９】
前記のマイナスイオン効果を具有する容器について、該容器本体の外周壁の下段及び該底壁に一つのスリーブを套設し、該スリーブは一つの頂上開口及び相対する一つの底部を具有し、且つスリーブはマイナスイオン材料を含む。
【００１０】
前記のマイナスイオン効果を具有する容器について、該容器本体の外周壁の下段及び該底壁に一つのスリーブを套設し、該スリーブは一つの頂上開口及び相対する一つの底部及び一つのスペーサーを具有して容器本体の底壁とスリーブの底部の間に設置し、且つスペーサーはマイナスイオン材料を含む。
【００１１】
前記のマイナスイオン効果を具有する容器について、該容器本体の外周壁の下段の周りに間隔を開けて複数の軸方向の溝を設け、各軸方向の溝の頂端はサイド側に掛合溝を延伸し、該スリーブの内周縁に間隔を開けて複数のブロックを設け、各ブロックはそれぞれ相対する掛合溝に掛止する。
【考案の効果】
【００１２】
本考案はマイナスイオンの材料を具有するリング、スリーブ及びスペーサーを容器本体の外周壁の表面に套置して定位することで、マイナスイオンが容器本体の外周壁を通じて収納スペース内部の飲食品に作用するため、飲食品の鮮度を保ち、異臭を取り除き、酸味渋みを下げるなどの効果に達し、人体が飲むのに適合して、体内の新陳代謝の作用を高め、身心の健康にも有益である。
【図面の簡単な説明】
【００１３】
【図１】本考案のマイナスイオン効果を具有する容器の立体図である。
【図２】図１の容器の頂上蓋を開く立体図である。
【図３】図２の容器本体にリングを套置する立体図である。
【図４】図３の容器本体にリングを套置する断面図である。
【図５】図３の容器本体とリングの立体分解図である。
【図６】図５の容器本体と套筒(スリーブ)の立体分解図である。
【図７】図６の容器本体と套筒(スリーブ)及びスペーサーの立体分解図である。
【図８】図７の容器本体と套筒(スリーブ)及びスペーサーの断面図である。
【図９】本考案の第二実施例のマイナスイオン効果を具有する容器の立体図である。
【図１０】図９の容器の頂上蓋を開く立体図である。
【考案を実施するための形態】
【００１４】
本考案の前記目的に達するために採用した技術手段及びその効果について、実施可能の実施例を挙げ、且つ図面を参照しながら詳細に説明する。
【実施例１】
【００１５】
まず図１から図５ではっきり分かるように、本考案のマイナスイオン効果を具有する容器は、主にポット、ボトル、缶、コップ類などについてのものであり、特に携帯型の飲食用容器を指す。図１ではボトル缶類の容器を用いて実施例の説明をする。本考案の容器は中空の直立型容器本体１であり、最良は透明プラスティック材質で一体成型である。更に可動的に一つの頂上蓋２、一つのリング３、一つのスリーブ４及び一つのハンドストラップにより、一つの携帯型ボトルを構成する。
【００１６】
該容器本体１を適切な容積に設定し、容器本体１の外周壁１１は頂端から一つの頂上開口１３及び雄ねじ１７のフランジ部１５、及び外周壁１１の底端から相対する一つの底壁１４を一体に延伸し、それにより容器本体１内部の収納スペース１２を構成する。また、外周壁１１の中段に一つの溝１６を設け、外周壁１１の下段の周りに間隔を開けて複数の軸方向の溝１８を設ける。各軸方向の溝１８の頂端はサイド側に掛合溝１９を延伸する。
【００１７】
該頂上蓋２は安全性のあるプラスティック材質を採用し、該蓋台２１は下向きに容器本体１の雄ねじ１７に可動的に螺接する。蓋台２１に液体出口２３及び通気孔２５を設け、めくり上げるタイプの蓋体２２には対応するプラグ部品２４と密閉部品２６を設け、且つ蓋台２１の外周にボタン２７及びロックリング２９を設けることで、蓋体２２のそれに相対するフック部２８を引っ掛ける或いは開けるのを制御する。
【００１８】
該リング３を容器本体１の外周壁１１の表面に套置して定位する。リング３本体は弾性の材質であり、マイナスイオンの材料を具有することで、マイナスイオンが容器本体１の外周壁１１を通じて収納スペース１２内部の飲食品６に作用する(図４に示す通り)。最良実施例の構造において、リング３を直接容器本体１の外周壁１１中段の溝１６表面に套置定位し、且つリング３を二つの異なる色合いの弾性材質のリング体３１、３２に設けて互いに組み合わせることができる。
【００１９】
図４から図８に示すように、該スリーブ４は下から上に、容器本体１の外周壁１１の下段及び該底壁１４に套設定位する。該スリーブ４の頂上に一つの頂上開口４１及び相対する一つの底部４２を具有する。且つスリーブ４はマイナスイオン材料を含むことができる。及び一つのスペーサー４３を容器本体１の底壁１４とスリーブ４の底部４２の間に設置することができる。また、スペーサー４３はマイナスイオン材料を含み、該スリーブ４の内周縁に間隔を開けて複数のブロック４４を設ける。各ブロック４４はそれぞれ容器本体１の軸方向の溝１８に入り、更に回してから相対する掛合溝１９に掛止する。
【００２０】
該ハンドストラップ５は予め弾力ロックリング５１と接続し、弾力ロックリング５１を可動的に容器本体１のフランジ部１５の下にファスニングする。
【００２１】
本考案の容器を実際に使用する際、図２、図３及び図４に示すように、直接頂上蓋２の蓋体２２を開けるほか、図４に示すように、直接頂上蓋２を回して取り、容器本体１の収納スペース１２にお茶或いはドリンクなどの飲食品６を入れる。本考案の容器はリング３、スリーブ４、スペーサー４３を容器本体１の外周壁１１、底壁１４の表面に套置して定位するため、リング３、スリーブ４、スペーサー４３は、マイナスイオンを容器本体１の外周壁１１を通じて、収納スペース１２内部にある飲食品６に作用し、飲食品６の鮮度を保ち、異臭を取り除き、酸味渋みを下げる効果に達し、人体が飲むのに適合して、体内の新陳代謝の作用を高め、身心の健康にも有益である。
【実施例２】
【００２２】
図９及び図１０に示すのは別の実施例である。本考案の容器は非透明材質の容器本体１０を採用することができ、且つ可動的に頂上蓋２０に組み合わせる。また、同様に容器本体１０の外周壁にリング３及びリング体３１、３２を套設して定位する。
【００２３】
上記をまとめると、本考案は従来技術の飲食用容器の不足及び欠陥を解決することができ、その主な技術とは、容器本体１が外周壁１１、底壁１４にマイナスイオン材料を具有するリング３、スリーブ４及びスペーサー４３を設置することで、飲食品６の鮮度を保ち、異臭を取り除き、酸味渋みを下げるなどの効果に達し、人体が飲むのに適合して、体内の新陳代謝の作用を高め、身心の健康にも有益であり、人体の実際のニーズに合致する。
【００２４】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００２５】
１  容器本体
１０  容器本体
１１  外周壁
１２  収納スペース
１３  頂上開口
１４  底壁
１５  フランジ部
１６  溝
１７  雄ねじ
１８  軸方向の溝
１９  掛合溝
２  頂上蓋
２０  頂上蓋
２１  蓋台
２２  蓋体
２３  液体出口
２４  プラグ部品
２５  通気孔
２６  密閉部品
２７  ボタン
２８  フック部
２９  ロックリング
３  リング
３１  リング体
３２  リング体
４  スリーブ
４１  頂上開口
４２  底部
４３  スペーサー
４４  ブロック
５  ハンドストラップ
５１  ロックリング
６  飲食品
【図１】
0003207482.tif 000003
【図２】
0003207482.tif 000004
【図３】
0003207482.tif 000005
【図４】
0003207482.tif 000006
【図５】
0003207482.tif 000007
【図６】
0003207482.tif 000008
【図７】
0003207482.tif 000009
【図８】
0003207482.tif 000010
【図９】
0003207482.tif 000011
【図１０】
0003207482.tif 000012